(57)【要約】【課題】ロール状の記録媒体を用いる画像形成装置において、記録媒体を逆方向に搬送したときの弛みの発生を抑制する。【解決手段】画像形成装置１０は、ロール状記録媒体ＲＳから繰り出されたシートＳに画像形成手段によって画像の形成を行う。搬送手段１０４は、ロール状記録媒体ＲＳからシートＳを繰り出す第１の方向と第１の方向とは逆の第２の方向へシートＳとを搬送可能である。搬送手段１０４によって第２の方向へと搬送されたシートＳを、ロール状記録媒体ＲＳの外周面における所定の領域Ｆに当接させるよう案内手段３０２によって案内する。第２の方向に搬送され案内手段３０２によって導かれたシートＳとロール状記録媒体ＲＳの外周面の所定の領域Ｆとの当接によって、シートＳを巻き取る方向にロール状記録媒体ＲＳを回転させる。【選択図】図８
2018001706.tif 000002
【特許請求の範囲】
【請求項１】
シートを巻き付けたロール状記録媒体を回動可能に支持し、前記ロール状記録媒体から繰り出されたシートに画像形成手段によって画像の形成を行う画像形成装置であって、
前記ロール状記録媒体からシートを繰り出す第１の方向と前記第１の方向とは逆の第２の方向へシートを搬送可能な搬送手段と、
前記搬送手段によって前記第２の方向へと搬送されたシートを、前記ロール状記録媒体の外周面における所定の領域に当接させるよう導く案内手段を備え、
前記第２の方向に搬送され前記案内手段によって導かれたシートと前記ロール状記録媒体の外周面の前記所定の領域との当接によって、シートを巻き取る方向に前記ロール状記録媒体を回転させることを特徴とする画像形成装置。
【請求項２】
前記案内手段は、
前記ロール状記録媒体の外周面において、
シートが前記ロール状記録媒体から剥離する繰出し開始位置から、前記搬送手段による搬送力がシートに伝達されるシート搬送開始位置と前記ロール状記録媒体の回動中心とを結ぶ線分と前記外周面とが交わる位置までの範囲に前記第２の方向にシートを当接させること特徴とする請求項１に記載の画像形成装置。
【請求項３】
前記繰り出し開始位置は前記外周面の垂直上方向の頂点よりも前記シート搬送開始位置側であることを特徴とする請求項１または２に記載の画像形成装置。
【請求項４】
前記ロール状記録媒体の回動中心は、所定の移動方向に移動可能に支持されると共に、
前記ロール状記録媒体は、付勢手段により前記移動方向に付勢され、一定位置に定められた位置決め部材に当接することを特徴とする請求項１ないし３のいずれか一項に記載の画像形成装置。
【請求項５】
前記ロール状記録媒体は、前記付勢手段の付勢力により前記シートの巻き付け量の変化に応じて前記移動方向へと移動し、前記位置決め部材に対して常時当接することを特徴とする請求項４に記載の画像形成装置。
【請求項６】
前記位置決め部材は、前記ロール状記録媒体から繰り出されるシートの移動経路を定める案内部材に設けられていることを特徴とする請求項１ないし５のいずれか一項に記載の画像形成装置。
【請求項７】
前記位置決め部材は、前記ロール状記録媒体の外周面に当接するコロによって構成されることを特徴とする請求項１ないし６のいずれか一項に記載の画像形成装置。
【請求項８】
シートを巻き付けたロール状記録媒体を回動可能に支持し、前記ロール状記録媒体を正方向に回転させることによって繰り出す給送装置であって、
前記ロール状記録媒体のから繰り出されたシートを順方向と前記逆方向へと搬送可能な搬送手段と、
前記搬送手段によって前記逆方向へと搬送されたシートを、前記ロール状記録媒体の外周面における所定の領域に当接させるよう導く案内手段を備え、
前記案内手段によって導かれたシートと前記所定の領域との当接によってロール状記録媒体を逆方向に回転させることを特徴とする給送装置。
【発明の詳細な説明】
【技術分野】
【０００１】
本発明は、ロール状記録媒体から繰出したシートに画像を形成する画像形成装置および、ロール状記録媒体からシートを繰り出す給送装置に関する。
【背景技術】
【０００２】
現在、画像形成装置に用いられる記録媒体の供給源として、帯状の記録紙（以下、シートともいう）を巻き付けたロール状記録媒体（以下、ロール紙ともいう）が知られている。このロール紙は支軸などによって回動可能に支持されており、給送手段および搬送手段のシート搬送動作に伴って回転しながらシートを下流へと繰出すように構成されている。この際、ロール紙から繰出されるシートの長さは、搬送手段などによるシートの搬送量と同一の長さであることが望ましい。しかし、ロール紙には回転時に慣性力が発生するため、必要以上にロール紙が回転して繰り出されたシートに弛みが生じ、ロール紙の巻き付け状態に緩みが生じることがある。特に、ロール紙のロール径や重量が大きい場合には、ロール紙の慣性力によってシートに弛みが発生し易い。このシートの弛みは、記録動作時の搬送動作に伴って徐々に解消されるが、弛みが解消された時点でシートの張力が急激に増大するため、搬送手段の搬送量に誤差を生じさせ、画像に影響を及ぼすことがある。
【０００３】
また、ロール紙に生じる弛みが大きい場合には、ロール紙を収容する収容部に記録紙が収まり切らず、シートの折れや座屈が発生したり、シートの詰まり（ジャム）が発生したりすることがある。
【０００４】
そのため、ロール紙を利用する画像形成装置には、シートの弛み防止または弛み除去を行う構成を備えるものも提案されている。特許文献１には、ロール紙から記録紙を繰り出す方向に搬送したときにロール紙の慣性によって、シートに弛みが生じるのを防ぐ構成が開示されている。具体的にはロール紙から繰り出された記録紙に摩擦抵抗を付与することによって、ロール紙から記録紙を繰り出すときにロール紙の慣性によってロール紙に弛みが生じるのを抑制することが開示されている。
【先行技術文献】
【特許文献】
【０００５】
【特許文献１】特開２０１２−１８７９１１号公報
【発明の概要】
【発明が解決しようとする課題】
【０００６】
ロール紙を用いた画像形成装置では、記録紙への画像記録を開始するに際し、画像形成手段より下流側に位置する記録媒体の未記録領域と画像形成手段との位置合せを行うために、記録動作時の搬送方向とは逆方向に記録紙を搬送することが行なわれている。このように記録紙を逆方向へ搬送した場合、特許文献１に示す構成にあっては、記録動作を開始するに際し、搬送手段の上流側で記録紙に弛みが生じることがある。この場合、記録動作に伴って記録紙に生じていた緩みが解消された瞬間に記録媒体に張力が発生し、これが形成画像に影響を及ぼすことがある。そこで、従来の画像形成装置では、モータなどの動力を用いてロール紙を逆方向に回転させ、搬送手段より上流側に生じた記録媒体の弛みを取ることも行なわれている。しかしながら、この場合には、モータやその駆動力を伝達する部品が必要になるため、部品点数の増加、およびコストの増大を招くという問題が生じる。
【０００７】
本発明は、シートを巻き付けたロール状記録媒体を用いる画像形成装置において、シートを逆方向に搬送したときの弛みの発生を抑制することを目的とする。
【課題を解決するための手段】
【０００８】
本発明は、シートを巻き付けたロール状記録媒体を回動可能に支持し、前記ロール状記録媒体から繰り出されたシートに画像形成手段によって画像の形成を行う画像形成装置であって、前記ロール状記録媒体からシートを繰り出す第１の方向と前記第１の方向とは逆の第２の方向へシートを搬送可能な搬送手段と、前記搬送手段によって前記第２の方向へと搬送されたシートを、前記ロール状記録媒体の外周面における所定の領域に当接させるよう導く案内手段を備え、前記第２の方向に搬送され前記案内手段によって導かれたシートと前記ロール状記録媒体の外周面の前記所定の領域との当接によって、シートを巻き取る方向に前記ロール状記録媒体を回転させることを特徴とする。
【０００９】
本発明は、シートを巻き付けたロール状記録媒体を回動可能に支持し、前記ロール状記録媒体を正方向に回転させることによって繰り出す給送装置であって、前記ロール状記録媒体のから繰り出されたシートを順方向と前記逆方向へと搬送可能な搬送手段と、前記搬送手段によって前記逆方向へと搬送されたシートを、前記ロール状記録媒体の外周面における所定の領域に当接させるよう導く案内手段を備え、前記案内手段によって導かれたシートと前記所定の領域との当接によってロール状記録媒体を逆方向に回転させることを特徴とする。
【発明の効果】
【００１０】
本発明によれば、シートを巻き付けたロール状の記録媒体を用いる画像形成装置において、シートを逆方向に搬送したときの弛みの発生を抑制することが可能になる。
【図面の簡単な説明】
【００１１】
【図１】第１の実施形態における画像形成装置の内部構造を示す斜視図である。
【図２】画像形成装置の外観を示す斜視図である。
【図３】画像形成装置の蓋体を開放位置へと移動させた状態を示す斜視図である。
【図４】図１のＩ−Ｉ線断面を模式的に示す図である。
【図５】図３に示す状態からロールホルダユニットを取り外した状態を示す斜視図である。
【図６】ロールホルダユニットからロール軸支部を取り外した状態を示す斜視図である。
【図７】図２のII−II線断面図である。
【図８】図７における屈曲付与部の拡大図である。
【発明を実施するための形態】
【００１２】
以下、図面を参照して本発明の実施形態を詳細に説明する。なお、各図中、同一もしくは相当部分には同一符号を付す。
【００１３】
図１ないし図３は、第１の実施形態における画像形成装置を示す斜視図であり、図１画像形成装置の内部構造を示す斜視図、図２は画像形成装置の外観を示す斜視図、図２は、図３は画像形成装置の蓋体を開放位置へと移動させた状態を示す斜視図である。また、図４は、図１のＩ−Ｉ線断面を模式的に示す図である。
【００１４】
図１に示すように、本実施形態における画像形成装置１００は、画像形成装置本体（以下、装置本体という）１０１の内部に画像形成手段１０２を備える。また、画像形成装置１００は、記録媒体を搬送する搬送装置１０３と、帯状の連続したシートである記録媒体（以下、記録紙ともいう）Ｓを巻き付けたロール状記録媒体（以下、ロール紙ともいう）ＲＳ（図３および図４参照）を収容する収容部１０５を備える。搬送装置１０３は記録紙Ｓ（図４参照）を、順方向Ａ１と逆方向Ａ２とに搬送可能な搬送手段としての搬送部１１９を備えている。なお、ここでいう順方向への記録紙Ｓの搬送とは、画像の形成動作に伴ってロール状記録媒体ＲＳから画像形成手段１０２へと記録紙Ｓを繰り出す方向を指し、逆方向とは画像形成手段１０２からロール状記録媒体ＲＳへ向けて記録紙Ｓを送る方向を指す。
【００１５】
また、本実施形態における画像形成装置１００は、インクジェット記録ヘッド（以下、記録ヘッドという）からインクを吐出して画像を形成するインクジェット記録装置により構成されている。画像形成手段１０２は、図４に示すように、記録ヘッド４０８〜４１１と、これらの記録ヘッドそれぞれにインクを供給するインクタンク４０４〜４０７とで構成されている。
【００１６】
インクタンク４０４〜４０７は４種類のインクをそれぞれ独立に格納するものとなっている。本実施形態では、インクタンク４０４はイエロー（Ｙ）のインクを、インクタンク４０５はマゼンダ（Ｍ）のインクを、インクタンク４０６はシアン（Ｃ）のインクを、インクタンク４０７はブラック（ＢＫ）のインクをそれぞれ格納している。各インクタンク４０４〜４０７は各記録ヘッド４０８〜４１１と１対１に対応している。すなわち、インクタンク４０４は記録ヘッド４０８に、インクタンク４０５は記録ヘッド４０９に、インクタンク４０６は記録ヘッド４１０に、インクタンク４０７は記録ヘッド４１１に、それぞれインクを供給する構成となっている。なお、以下の説明において、各インクタンクおよび各記録ヘッドを特に区別する必要がない場合には、インクタンク４０４〜４０７をインクタンクＴと記載し、記録ヘッド４０８〜４１１を記録ヘッドＨと記載する。
【００１７】
各記録ヘッドＨは、画像情報に基づいてインクを吐出して記録紙Ｓに画像を記録するインクジェット記録ヘッドである。記録ヘッドＨの記録紙Ｓと対向する吐出口面には、インク滴を吐出する複数の吐出口を配列した吐出口列が形成されている。この吐出口列は、記録紙Ｓの移動方向（Ａ方向）と交差する方向（本実施形態においては直交する方向）に延在するように構成されている。吐出口列を構成する各吐出口に連通する液路には、吐出口からインクを吐出する吐出エネルギー発生素子が設けられている。吐出エネルギー発生素子は、画像情報に基づいて選択的に駆動され、駆動時に発生した吐出エネルギーによって吐出口からインク滴を吐出させる。このインク滴が記録紙に着弾することによって所望の画像が形成される。なお、吐出エネルギー発生素子としては、例えば、電気熱変換素子（ヒータ）または電気機械変換素子（ピエゾ）などを適用することが可能である。
【００１８】
また、図示の記録ヘッドＨは、適用する記録媒体の最大幅以上の長尺な吐出口列を有する、いわゆるラインヘッドとなっている。ここで、記録媒体の幅とは、記録媒体の移動方向Ａと直交する方向の記録媒体の長さを指す。このように画像形成装置１００は、連続的に搬送される記録媒体に対しラインヘッドを用いて１ライン単位で画像を形成するフルライン型のインクジェット記録装置となっている。なお、記録ヘッドを記録媒体の搬送方向と交差する方向に移動させて記録を行う、いわゆるシリアル型のインクジェット記録装置にも本発明は適用可能である。
【００１９】
搬送装置１０３は、図２に示すように、記録紙Ｓをプラテン上の搬送経路に給送する給送部１１８と、搬送経路に給送された記録媒体を搬送する搬送部１１９と、記録媒体Ｓを搬送装置１０３の外に排出する排出部１２０とを備える。搬送部１１９は、図１に示すように、搬送ローラ１０７とピンチローラ１０６とからなる搬送手段１０４と、搬送装置１０３の骨格をなす搬送フレーム２０１（図２参照）の上面部に設けられたプラテン２０２（図２参照）とを備える。ピンチローラ１０６は搬送ローラ１０７に向けて不図示の弾性部材によって付勢されており、両ローラ１０６と１０７との間に記録紙Ｓを挟持する。そして、図４に示すように、搬送ローラ１０７の正方向（Ｒ１方向）または逆方向（Ｒ２方向）の回転によって記録紙Ｓを順方向（Ａ１方向）または逆方向（Ａ２方向）に搬送する。搬送ローラ１０７とピンチローラ１０６とによる記録紙Ｓの挟持部４０１が、本発明におけるシート搬送開始位置となる。
【００２０】
次に、本実施形態における画像形成装置１００の内部構造について説明する。図５に示すように、収容部１０５は、ロール紙ＲＳを支持するロールホルダユニット３０１を着脱可能に収容し得るよう上方部が開口している。また、装置本体１０１には蓋体１１０が回動自在に支持されている。蓋体１１０は、画像形成時においては収容部１０５の上方部を閉塞する閉塞位置ＣＰ（図２、４、７参照）に保持され、ロール紙ＲＳの交換時には閉塞位置から上方へと回転移動して収容部１０５の上方を開口させる開放位置ＯＰ（図３、４、７参照）に保持される。
【００２１】
また、蓋体１１０には、シート案内部（案内手段）３０２が取り付けられている。シート案内部３０２は、屈曲付与部材４０３と屈曲付与部材４０３に固定された位置決め部材４０２とを備える。位置決め部材４０２は、蓋体１１０が閉塞位置に保持されるとき、収容部１０５に収容されたロール紙ＲＳの周面に常時当接し、ロール紙ＲＳの外周面を所定の位置に保持する。これにより、ロール紙ＲＳから記録媒体Ｓが剥離する位置、すなわち繰出し開始位置Ｐ０（図４参照）が定められる。なお、本実施形態において、位置決め部材４０２は、屈曲付与部材４０３に回動自在に支持されたコロにより構成されている。また屈曲付与部材４０３は、ロール紙ＲＳからシート搬送開始位置である挟持部４０１に至る記録紙Ｓに接触して記録紙Ｓの移動経路ＭＰを屈曲させる。なお、記録紙Ｓをプラテン上の搬送経路に給送する給送部１１８と、搬送経路に給送された記録媒体を搬送する搬送部１１９とにより本実施形態における給送装置が構成されている。
【００２２】
次に給送部１１８の構成を説明する。図５は、図３に示す状態からロールホルダユニットを取り外した状態を示す斜視図である。給送部１１８は、ロール紙ＲＳを収容する収容部１０５と、ロール紙ＲＳから繰り出された記録媒体Ｓに搬送力を伝達する搬送手段１１９（搬送ローラ１０７およびピンチローラ１０７）とを有している。収容部１０５には、ロール紙ＲＳを保持するロールホルダユニット３０１が着脱可能に保持される。
【００２３】
また図６に示すように、ロール紙ＲＳは、ロール紙支持部材６０１、６０２と、ロール紙支持部材６０１、６０２を回動自在に支持する軸部６０３と、軸部６０３を回動自在に支持する軸受け６０４、６０５とにより、収容部１０５内に回動自在に支持される。このように、ロール紙ＲＳをロール紙支持部材６０１、６０２を介して軸部６０３に支持させ、軸部６０３をホルダユニット３０１の軸受け６０４に軸部６０３を回動自在に支持させることでロール紙ＲＳを滑らかに回動させることができる。ロール紙ＲＳから繰り出された記録紙Ｓは、搬送ローラ１０７とピンチローラ１０６とで形成される挟持部４０１へと導かれる。挟持部４０１へと導かれた記録紙Ｓは、搬送ローラ１０７の正方向の回転によってプラテン２０２に沿って順方向（Ａ１方向）へと搬送される。
【００２４】
図７は図２のII−II線断面を示す図である。軸受け６０４は所定の移動方向（Ｂ方向）に移動可能となっている。軸受け６０４、６０５は、ロールホルダユニット３０１に設けられた付勢手段としての引きばねＳＰ１、ＳＰ２によって、ロール紙ＲＳの周面が位置決め部材４０２に常時当接するよう付勢されている。このため、記録紙Ｓへの記録が進行し、ロール紙Ｒの半径が減少していくと、それに伴って軸受け６０４および軸部６０３が、引きばねＳＰ１、ＳＰ２の付勢力によって位置決め方向（Ｂ１方向）に移動する。このように構成することで、ロール紙ＲＳの半径が変化しても、ロール紙ＲＳの外周面を略一定の位置に保つことができ、ロール紙ＲＳからの記録紙Ｓの繰出し開始位置Ｐ０も一定位置に保つことができる。このため、屈曲付与部材４０３は、ロール紙ＲＳから挟持部４０１に至る移動経路ＭＰにおける一定の位置で記録紙Ｓを屈曲させることが可能になる。なお、以上説明した給送部１１８と搬送手段１０４（ピンチローラ１０６、搬送ローラ１０７）とにより、給送装置が構成されている。
【００２５】
ここで、図４、図７および図８を参照しつつ、ロール紙ＲＳから挟持部４０１に至る記録紙Ｓの移動経路ＭＰを屈曲させる屈曲付与部材４０３の構成、および屈曲付与部材４０３と記録紙Ｓとの位置関係を説明する。屈曲付与部材４０３は、ロール紙ＲＳから繰り出された記録紙Ｓと接触して記録紙Ｓの屈曲した移動経路ＭＰを形成する案内部４０３ａを備える。本実施形態では、屈曲付与部材４０３はＶ字をなす板状部材によって形成され、その折曲部分４０３ａが記録紙と接触する案内部となっている。この案内部４０３ａは、挟持部４０１と記録媒体ＳＨの中心点Ｃａを結ぶ線分Ｌ１と、挟持部４０１とロール紙ＲＳの外周面の垂直上方の頂点Ｐ３とを結ぶ線分（接線）Ｌ２とロール紙ＲＳの外周面とに囲まれた空間領域Ｅ内に配置されている。これにより、逆方向（Ａ２方向）へと搬送された記録紙Ｓは、ロール紙ＲＳの外周部の所定の角度範囲α（図７参照）内に当接するように案内部４０３ａによって案内される。記録媒体Ｓを角度範囲α内に当接させることにより、ロール紙ＲＳは、後に説明する動作原理によって逆方向へと回転する。その結果、挟持部４０１からロール紙ＲＳの間に生じる記録紙Ｓの弛みは除去される。なお、挟持部４０１とロール紙ＲＳの外周面との距離は大きくなり過ぎないようにすることが望ましい。
【００２６】
次に、記録紙Ｓを逆方向に搬送した際にロール紙ＲＳが移動する経路、およびロール紙ＲＳを逆方向に回転させる駆動力が発生する原理を、図８を参照して説明する。図８は図７の一部を拡大して示す図である。
【００２７】
搬送手段１０４によって、記録紙Ｓが逆方向に搬送されるとき、記録紙Ｓは、順方向（Ａ１方向）に搬送されているときとは異なる経路をたどる。すなわち、順方向へと搬送されるとき、記録紙Ｓは、位置決め部材４０２から屈曲付与部材４０３の屈曲部４０３ａを経て挟持部に至る移動経路ＭＰ（図４参照）に沿って移動する。このとき、記録紙Ｓには所定の張力が発生しており、記録紙Ｓに弛みが生じることはない。
【００２８】
一方、逆方向へと記録媒体Ｓを搬送した場合、挟持部４０１より上流側に送り出された記録媒体Ｓは、案内部４０３ａに接触した後、記録紙Ｓの剛性によって図８の破線に示す経路Ｐ１に沿って移動し、ロール紙Ｓの外周面における所定の範囲Ｆに当接する。この所定の範囲Ｆは、挟持部４０１とロール紙ＲＳの回動中心Ｃａとを結ぶ線分Ｌ１と、挟持部４０１とロール紙ＲＳの外周の頂点Ｐ３とを結ぶ接線Ｌ２の法線Ｌ３とのなす角度αに対応するロール紙外周上の範囲（円弧面）を指す。このロール紙ＲＳの外周面上の範囲Ｆに当接した記録紙Ｓはロール紙ＲＳの外周面に沿って移動し、ロール位置決め部材４０２に到達する。
【００２９】
ロール紙Ｓの外周面の範囲Ｆに記録紙Ｓが当接することにより、図８に示すように、ロール紙ＲＳには、垂直抗力Ｎ’と、ロール紙ＲＳの接線方向成分の力μＮ’とが分力として発生する。このときの接線方向の分力μＮ’がロール紙ＲＳを逆方向Ｒ１２へと回転させる力となって作用する。従って、本実施形態によれば、特にモータなどの動力発生手段を用いなくとも、ロール紙ＲＳは逆回転し、記録紙Ｓを逆方向（Ａ２方向）へと搬送した時に生じる弛みはロール紙ＲＳに巻き取られ、記録開始時には、記録紙Ｓの弛みは解消された状態となる。このため、記録開始時において急激に記録紙Ｓに張力が増大することはなくなり、安定した搬送動作を行いつつ画像を形成することが可能になるため、良好な品質の画像を形成することができる。また、記録紙Ｓの逆方向への搬送動作に伴って、随時、記録紙Ｓがロール紙ＲＳに巻き取られていくため、記録紙Ｓに折れや座屈が発生したり、収容部１０５において記録紙Ｓの詰まり（ジャム）が発生したりすることもない。
【００３０】
（他の実施形態）
上記実施形態では、Ｖ字状に屈曲した板体からなる屈曲付与部材に、コロを支持させるように構成した例を示したが、ロール位置決め部材を位置決め部材４０２以外の部分に支持させるように構成することも可能である。また、案内部材は、Ｖ字状をなす屈曲付与部材に限らず、棒状、平板状など、Ｖ字状以外の形状をなす部材によって構成することも可能である。すなわち、案内部材は、記録紙Ｓを、前記領域Ｆ内に当接させるよう案内し得るものであればよく、その形状、配置位置などは、上記実施形態に示したものに限定されない。
【００３１】
また、上記実施形態では、画像形成手段としてインクを吐出する記録ヘッドを用いて画像を形成するインクジェット記録装置を例に採り説明した。しかし、本発明は、記録ヘッド以外の画像形成手段を用いる画像形成装置にも適用可能である。例えば電子写真方式を採用する画像形成装置において、記録紙（シート）を画像形成手段に給送する構成にも本発明は適用可能である。
【符号の説明】
【００３２】
１００  画像形成装置
１０２  画像形成手段
１０４  搬送手段
１１８  給送部
３０２  案内手段
４０２  コロ
４０３  位置決め部材
４０１  シート搬送開始位置
Ａ１  第１の方向
Ａ２  第２の方向
Ｂ１  移動方向
Ｃａ  ロール状記録媒体の回動中心
Ｅ  範囲
Ｆ  外周面における所定の領域
Ｌ１、Ｌ２  線分
ＭＰ  シートの移動経路
ＲＳ  ロール状記録媒体
Ｐ０繰出し開始位置
Ｐ３  外周面の垂直上方向の頂点
Ｒ１２  シートを巻き取る方向
Ｓ  シート
ＳＰ１、ＳＰ２  引きばね（付勢手段）
【図１】
2018001706.tif 000003
【図２】
2018001706.tif 000004
【図３】
2018001706.tif 000005
【図４】
2018001706.tif 000006
【図５】
2018001706.tif 000007
【図６】
2018001706.tif 000008
【図７】
2018001706.tif 000009
【図８】
2018001706.tif 000010